(57)【要約】【課題】医療ミスの場合などにおいて、医師のカルテの改ざんが問題になっているが、電子ペンで記載され、サーバ装置等に送信された情報は、誰が記載した情報であるか判断できない、という課題があった。【解決手段】医師等が保持している識別情報を電子ペンに送信する識別情報送信装置と、電子ペンと、サーバ装置を有する情報処理システムであって、電子ペンは、当該識別情報送信装置から識別情報を受信し、記載した情報を取得し、識別情報と情報を有する記載情報を送信し、サーバ装置は、識別情報と情報を有する記載情報を受信し蓄積する情報処理システムにより、医師等が記載した情報が遠隔に設置されているサーバ装置等に格納され、かつ誰が記載した情報であるかが明確に判断できるので、医師等によるカルテなどの情報の改ざんが極めて困難になる。【選択図】  図１
2004178509.tif 000002
【特許請求の範囲】
【請求項１】
外部から識別情報を受信する識別情報受信部と、
記載した情報を取得する記載情報取得部と、
前記識別情報と前記記載した情報を有する記載情報を送信する記載情報送信部
を具備する電子ペン。
【請求項２】
請求項１記載の電子ペンに識別情報を送信する識別情報送信装置。
【請求項３】
請求項１記載の電子ペンから記載情報を受信し蓄積するサーバ装置。
【請求項４】
電子ペンで記載した情報を外部に送信する情報送信方法であって、
外部から識別情報を受信する識別情報受信ステップと、
記載した情報を取得する記載情報取得ステップと、
前記識別情報と前記記載した情報を有する記載情報を送信する記載情報送信ステップを具備する情報送信方法。
【発明の詳細な説明】
【０００１】
【発明の属する技術分野】
本発明は、記録した情報を外部に送信できる電子ペン等に関する。
【０００２】
【従来の技術】
従来、記録した情報を外部に送信できる電子ペンとしてアノト社の電子ペンがある（非特許文献１参照）。この電子ペンは、通常のペンに超小型カメラ、画像認識装置、それにＢｌｕｅｔｏｏｔｈ（Ｂｌｕｅｔｏｏｔｈは「テレフオンアクチーボラゲット  エル  エム  エリクソン」社の登録商標。）送受信装置を備え付けたもので、専用紙に書かれた手書きの内容を読み取り、解析し、パソコン、携帯電話、ファックス等の情報通信機器に即時送受信できるものである。
【０００３】
【非特許文献１】
アノト日本株式会社ホームページ、インターネット＜ＵＲＬ：ｈｔｔｐ：／／ｗｗｗ．ａｎｏｔｏ．ｊｐ／ｔｓｕｉｔｅ．ｈｔｍｌ＞
【０００４】
【発明が解決しようとする課題】
しかし、上記従来技術によれば、電子ペンで記載され、サーバ装置等に送信された情報は、誰が記載した情報であるか判断できない。
【０００５】
一方では、医療ミスの場合などにおいて、医師等によるカルテの改ざんが問題になっている。
【０００６】
【課題を解決するための手段】
そこで、医師等が保持している識別情報を電子ペンに送信する識別情報送信装置と、電子ペンと、サーバ装置を有する情報処理システムであって、電子ペンは、当該識別情報送信装置から識別情報を受信する識別情報受信部と、記載した情報を取得する記載情報取得部と、識別情報と記載した情報を有する記載情報を送信する記載情報送信部を具備し、サーバ装置は、識別情報と記載した情報を有する記載情報を受信し蓄積する情報処理システムにより、医師等が記載した情報が遠隔に設置されているサーバ装置等に格納され、かつ誰が記載した情報であるかが明確に判断できるので、医師等によるカルテなどの情報の改ざんが極めて困難になる。
【０００７】
【発明の実施の形態】
以下、情報処理システム等の実施形態について図面を参照して説明する。なお、実施の形態において同じ符号を付した構成要素は同様の動作を行うので、再度の説明を省略する場合がある。
【０００８】
図１は、本情報処理システムの概念図を示す。本情報処理システムは、識別情報送信装置１１、電子ペン１２、サーバ装置１３を有する。電子ペン１２を用いて文字や図形等を記載するユーザは、識別情報送信装置１１を身に付けている。電子ペン１２は、例えば、図１に示すようなハードウェア構成である。電子ペン１２は、インクで文字等を記載する。また、電子ペン１２は、カメラ、プロセッサ、バッテリー、メモリ、通信手段を具備する。カメラは、電子ペン１２で記載した情報を取得する機能を果たす。プロセッサは、カメラが取得した情報を、通信手段を利用してサーバ装置１３に送信する等の処理を行う。バッテリーは、プロセッサやカメラを駆動するものである。メモリは、カメラが取得した情報を一時蓄える。プロセッサは、カメラが取得した情報を文字等の情報に変換する処理等を行う。通信手段は、プロセッサが処理した情報をサーバ装置に送信したり、識別情報送信装置１１から識別情報を受信したりする。通信手段は、例えば、ブルートゥースの通信規約により情報を送受信する手段である。
【０００９】
図２は、本情報処理システムのブロック図である。識別情報送信装置１１は、識別情報格納部１１０１、識別情報送信部１１０２を具備する。電子ペン１２は、識別情報受信部１２０１、記載情報取得部１２０２、記載情報送信部１２０３を具備する。サーバ装置１３は、記載情報受信部１３０１、記載情報蓄積部１３０２、指示受付部１３０３、記載情報出力部１３０４を具備する。
【００１０】
識別情報格納部１１０１は、電子ペン１２のユーザを識別する情報である識別情報を格納している。識別情報のデータ構造等は問わない。識別情報格納部１１０１は、不揮発性の記録媒体が好適であるが、揮発性の記録媒体でも実現可能である。
【００１１】
識別情報送信部１１０２は、識別情報格納部１１０１の識別情報を送信する。識別情報送信部１１０２は、無線通信手段で実現され得る。識別情報送信部１１０２は、例えば、ブルートゥースの通信規約により情報を送信する手段や、非接触ＩＣカードの情報送信手段などで実現され得る。
【００１２】
識別情報受信部１２０１は、識別情報送信装置１１から識別情報を受信する。識別情報受信部１２０１は、無線通信手段で実現され得る。識別情報受信部１２０１は、例えば、ブルートゥースの通信規約により情報を受信する手段や、非接触ＩＣカードの情報受信手段などで実現され得る。
【００１３】
記載情報取得部１２０２は、ユーザが電子ペン１３を用いて記載した情報を取得する。記載情報取得部１２０２は、例えば、カメラとカメラで撮影した情報をイメージ情報や文字コードに変換するソフトウェア等により実現され得る。なお、記載情報取得部１２０２が情報を取得する方法は、何でも良い。記載情報取得部１２０２は、上述したように従来技術であるので、ここでの詳細な説明は省略する。
【００１４】
記載情報送信部１２０３は、識別情報受信部１２０１が受信した識別情報と記載情報取得部１２０２が取得した記載情報を有する記載情報をサーバ装置１３に送信する。サーバ装置１３に情報を送信するための情報（サーバ装置１３のＩＰアドレスや電話番号など）は、記載情報送信部１２０３が保持している。記載情報送信部１２０３は、無線通信手段で実現され得る。記載情報送信部１２０３は、例えば、ブルートゥースの通信規約により情報を送信する手段や、非接触ＩＣカードの情報送信手段などで実現され得る。なお、記載情報送信部１２０３と識別情報受信部１２０１は、一の無線通信手段で実現されることが好適である。
【００１５】
記載情報受信部１３０１は、記載情報を電子ペン１２から受信する。記載情報受信部１３０１は、無線通信手段で実現されることが好適である。
【００１６】
記載情報蓄積部１３０２は、記載情報受信部１３０１が受信した記載情報を蓄積する。記載情報蓄積部１３０２が蓄積する媒体は、記載情報蓄積部１３０２が保有していても、外部にあっても良い。記載情報蓄積部１３０２は、通常、ＭＰＵやメモリ等から実現され得る。記載情報蓄積部１３０２が情報を蓄積するための処理手順は、通常、ソフトウェアで実現され、当該ソフトウェアはＲＯＭ等の記録媒体に記録されている。但し、ハードウェア（専用回路）で実現しても良い。
【００１７】
指示受付部１３０３は、記載情報を出力する指示である出力指示を受け付ける。出力指示を入力する入力手段は、キーボード、マウス、タッチパネル、ペン、リモコンなど何でも良い。指示受付部１３０３は、入力手段のドライバーソフト等で実現され得る。
【００１８】
記載情報出力部１３０４は、指示受付部１３０３が出力指示を受け付けた場合に、記載情報蓄積部１３０２が蓄積した記載情報を出力する。出力とは、通常、ディスプレイへの表示を言うが、プリンタへの印刷、スピーカーへの音出力、情報の送信などを含めても良い。記載情報出力部１３０４は、ディスプレイなどの出力媒体を含むと考えても、含まないと考えても良い。記載情報出力部１３０４は、ディスプレイなどの出力媒体のドライバーソフト等で実現され得る。
【００１９】
以下、本情報処理システムの動作について説明する。まず、識別情報送信装置１１の動作について説明する。識別情報送信装置１１は、識別情報を、常時、外部に送信していることが好適である。但し、ユーザの指示により識別情報を外部に送信しても良い。
【００２０】
次に、電子ペン１２の動作について図３のフローチャートを用いて説明する。
【００２１】
（ステップＳ３０１）識別情報受信部１２０１が、識別情報送信装置１１から識別情報を受信したか否かを判断する。識別情報を受信すればステップＳ３０２に行き、識別情報を受信しなければステップＳ３０１に戻る。
【００２２】
（ステップＳ３０２）記載情報取得部１２０２は、映像を取得したか否かを判断する。映像とは、例えば、図１の電子ペン１２のカメラで取得した映像である。映像を取得すればステップＳ３０３に行き、映像を取得しなければステップＳ３０２に戻る。
【００２３】
（ステップＳ３０３）記載情報取得部１２０２は、ステップＳ３０２から取得した映像および／または先に取得した映像から座標情報を構成する。
【００２４】
（ステップＳ３０４）記載情報取得部１２０２は、文字の区切りか否かを判断する。手書き文字認識において文字の区切りを判断する技術（アルゴリズム）は公知の技術であるので、ここでの説明は省略する。
【００２５】
（ステップＳ３０５）記載情報取得部１２０２は、複数の座標情報から文字コードを決定する。
【００２６】
（ステップＳ３０６）記載情報送信部１２０３は、ステップＳ３０１で受信した識別情報と、ステップＳ３０５で得た文字コードから記載情報を構成する。
【００２７】
（ステップＳ３０７）記載情報送信部１２０３は、ステップＳ３０６で構成した記載情報をサーバ装置１３に送信する。記載情報送信部１２０３は、サーバ装置１３のＩＰアドレス等を保持している。
【００２８】
なお、図３のフローチャートにおいて、電源オフや処理の終了等の割り込みにより、処理を終了する。
【００２９】
また、図３のフローチャートにおいて、電子ペン１２で記載する情報は文字だけを想定しているが、図形などでも良い。また、カメラで取得した映像から座標情報を構成する処理は、例えば、上述したアノト社の特殊な紙（専用紙）を用いれば可能であり公知技術であるので、詳細な説明は省略する。また、複数の座標情報から文字コードを決定する処理は、文字認識の既存技術であるので、詳細な説明は省略する。
【００３０】
さらに、図３のフローチャートにおいて、電子ペン１２は１文字ずつ情報をサーバ装置１３に送信したが、複数の文字や文章などをまとめて送信しても良い。電子ペン１２がサーバ装置１３に記載情報を送信するトリガーは、何でも良い。例えば、文字や文章の区切りを自動的に認識し、当該区切りのタイミングで記載情報を送信しても良いし、ユーザの指示（特定のボタンの押下など）により記載情報を送信しても良い。
【００３１】
また、図３のフローチャートにおいて、電子ペン１２で記載した（移動した）情報は、映像の情報を座標情報に変換された後、文字コードに変換された。しかし、かかる方法によらず、電子ペン１２で記載した情報が何らかの形式でサーバ装置１３に送信されれば良い。
【００３２】
次に、サーバ装置１３の動作について説明する。サーバ装置１３は、電子ペン１２から記載情報を受信し、記載情報を蓄積する。記載情報は、識別情報とユーザが電子ペン１２で記載した情報を対に有するので、特定のユーザが記載した情報が容易に取り出せる。
【００３３】
以下、本実施の形態における情報処理システムの具体的な動作について、図４の情報処理システムの概念図を用いて説明する。今、識別情報送信装置１１は、非接触ＩＣカードである。また、電子ペン１２には非接触ＩＣカードリーダーを有する。また、電子ペン１２は記載情報をブルートゥースの通信規約によりサーバ装置１３に送信する。
【００３４】
ここで、ある医師が非接触ＩＣカードを身に付けている。非接触ＩＣカードには、この医師を識別する情報である識別情報「１２３４」が格納されている。そして、電子ペン１２が非接触ＩＣカードに近づく（医師が電子ペン１２を持つ）と、非接触ＩＣカードから識別情報「１２３４」が電子ペン１２に送信される。
【００３５】
また、この医師が電子ペン１２を用いてカルテである専用紙の上に文字等を記載している。カルテには、例えば、患者の病気の名称や内容が記載される。
【００３６】
そして、電子ペン１２は、一定時間以上、文字が記載されなかった場合に、今まで記載された文字等と識別情報を有する記載情報を構成する。記載情報の例は、図４の（ａ）である。
【００３７】
次に、サーバ装置１３は、記載情報を受信し、蓄積する。図５は、記載情報管理表であり、サーバ装置１３が電子ペン１２から受信して蓄積した情報等を含む。記載情報管理表は、「日付」「識別情報」「記載した情報」を有するレコードを１以上管理している。「日付」は、サーバ装置１３が記載情報を受信した日を自身が保持する時計から取得し、記載情報に対応付けて蓄積する情報である。「識別情報」と「記載した情報」は、それぞれ電子ペン１２から受信した記載情報が有する情報である。
【００３８】
また、例えば、医療ミスなどが発生した場合に、サーバ装置１３の記載情報管理表からある患者の情報や、ある医師が記載した情報がいつでも取り出せる。
【００３９】
以上、本実施の形態によれば、電子ペンにより記載された情報が、誰が記載した情報であるかを容易に判断できるように情報を蓄積できる仕組みを簡単に提供できる。特に、本実施の形態において説明した情報処理システムにより、医師等によるカルテなどの情報の改ざんが極めて困難になる。また、他人に電子ペンを利用されても、識別情報送信装置さえ当該他人に渡さなければ、あたかも自分が記載した情報のように他人に記載された情報が登録されることはない。
【００４０】
なお、本実施の形態において、電子ペンからサーバ装置に情報を送信する手段として、ブルートゥースの通信規約による通信手段を中心に説明したが、かかる通信手段に限られないのは言うまでもない。
【００４１】
また、本実施の形態において、識別情報送信装置の通信手段や形状等は問わない。
【００４２】
また、本実施の形態において説明した電子ペンの動作は、以下に示す情報送信方法を実現している。当該方法は、電子ペンで記載した情報を外部に送信する情報送信方法であって、外部から識別情報を受信する識別情報受信ステップと、記載した情報を取得する記載情報取得ステップと、識別情報と情報を有する記載情報を送信する記載情報送信ステップを具備する情報送信方法、である。
【００４３】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した電子ペンの動作を実現するプログラムは、コンピュータに、外部から識別情報を受信する識別情報受信ステップと、記載した情報を取得する記載情報取得ステップと、識別情報と情報を有する記載情報を送信する記載情報送信ステップを実行させるためのプログラムである。
【発明の効果】
以上のように、本発明によれば、電子ペンにより記載された情報が、誰が記載した情報であるかを容易に判断できるように情報を蓄積できる仕組みを簡単に提供できる。
【図面の簡単な説明】
【図１】実施の形態における情報処理システムの概念図
【図２】実施の形態における情報処理システムのブロック図
【図３】実施の形態における電子ペンの動作について説明するフローチャート
【図４】実施の形態における情報処理システムの概念図
【図５】実施の形態における記載情報管理表を示す図
【符号の説明】
１１  識別情報送信装置
１２  電子ペン
１３  サーバ装置
１１０１  識別情報格納部
１１０２  識別情報送信部
１２０１  識別情報受信部
１２０２  記載情報取得部
１２０３  記載情報送信部
１３０１  記載情報受信部
１３０２  記載情報蓄積部
１３０３  指示受付部
１３０４  記載情報出力部
【図１】
2004178509.tif 000003
【図２】
2004178509.tif 000004
【図３】
2004178509.tif 000005
【図４】
2004178509.tif 000006
【図５】
2004178509.tif 000007